(57)【要約】【課題】放熱性を向上できる表示装置を提供する。【解決手段】表示パネル２と、光源７を有して金属製のフレーム８により覆われるとともに表示パネル２の背面に配されて表示パネル２を照明するバックライト３と、フレーム８の背面８ｅに配されて表示パネル２を駆動する回路基板１１と、回路基板１１と表示パネル２とを接続するＦＰＣ等の可撓性基板１２と、フレーム８に接する金属製の放熱板１０とを備え、フレーム８は放熱板１０を取り付ける接触部８ａを背面８ｅに突設し、フレーム８の背面８ｅと放熱板１０との間に可撓性基板１２を配置した。【選択図】図１
2007264571.tif 000002
【特許請求の範囲】
【請求項１】
表示パネルと、光源と金属製のフレームを有するとともに前記表示パネルの背面に配置
されたバックライトと、前記表示パネルと接続されるとともに少なくとも一部の前記フレ
ームの外側を覆う可撓性基板と、前記フレームと部分的に接する金属製の放熱体と、を備
えた表示装置であって、
前記フレームの外側には、該フレームの表面から突出して前記放熱体と接する接触部が
設けられており、前記放熱体は、前記フレームを覆った領域の前記可撓性基板の外側に配
置されることを特徴とする表示装置。
【請求項２】
前記フレームの表面から突出して前記放熱体と接する接触部は、前記フレームの背面に
設けられ、前記可撓性基板は、前記フレームの背面側に導出されて該フレームの背面の一
部を覆った領域に配置されており、前記放熱体は、前記領域に対応して前記フレームの背
面の一部を覆って配置されていることを特徴とする請求項１に記載の表示装置。
【請求項３】
前記フレームの背面側には、前記表示パネルに信号を供給する回路基板が配置されてお
り、前記可撓性基板は、前記回路基板と前記表示パネルとを電気的に接続していることを
特徴とする請求項２に記載の表示装置。
【請求項４】
前記接触部は前記可撓性基板の幅方向に離間して設けられていることを特徴とする請求
項１乃至請求項３のいずれか１項に記載の表示装置。
【請求項５】
前記接触部は前記可撓性基板に設けた孔部に挿通されることを特徴とする請求項１乃至
請求項３のいずれか１項に記載の表示装置。
【請求項６】
前記接触部を前記可撓性基板の幅方向に複数並設したことを特徴とする請求項１乃至請
求項５のいずれか１項に記載の表示装置。
【請求項７】
前記光源は前記フレームの端部に配置されており、前記可撓性基板は前記光源が配置さ
れた側の前記フレームの端部に導出されており、前記接触部は前記光源の近傍に設けたこ
とを特徴とする請求項１乃至請求項６のいずれか１項に記載の表示装置。
【請求項８】
前記フレームを鋳造加工したことを特徴とする請求項１乃至請求項７のいずれか１項に
記載の表示装置。
【請求項９】
前記フレームがアルミニウムから成ることを特徴とする請求項１乃至請求項８のいずれ
か１項に記載の表示装置。
【請求項１０】
前記接触部は、前記放熱体との接触状態を維持する取付固定手段を備えていることを特
徴とする請求項１乃至請求項９のいずれか１項に記載の表示装置。
【発明の詳細な説明】
【技術分野】
【０００１】
本発明は、バックライトを備えた表示装置に関する。
【背景技術】
【０００２】
液晶パネル等の表示パネルを有する従来の表示装置は特許文献１に開示される。この表
示装置は表示パネルの背面にバックライトが配される。バックライトは樹脂製の筐体で覆
われ、光源及び導光板が保持される。バックライトの背面には複数の放熱フィンと一体の
金属製の構造体が設けられる。放熱フィンの間には回路基板が配置されている。
【０００３】
上記構成の表示装置において、光源の出射光は導光板に入射して導光する。導光板内を
導光して臨界角を超えた光が導光板から出射され、表示パネルを照明する。これにより、
表示パネルに画像が表示される。
【０００４】
また、光源の熱は筐体及び構造体を介して放熱フィンに伝えられて放熱される。これに
より、表示パネル及びバックライトの熱変形による画質低下を防止することができる。
【特許文献１】特開２００５−８４２７０号公報（第４頁−第６頁、第２図）
【発明の開示】
【発明が解決しようとする課題】
【０００５】
しかしながら、上記従来の表示装置によると、バックライトの背面に回路基板が設置さ
れるため、放熱フィンを大きくすることができない。このため、バックライトから充分放
熱されず、表示装置の画質低下を招く問題があった。
【０００６】
本発明は、放熱性を向上できる表示装置を提供することを目的とする。
【課題を解決するための手段】
【０００７】
上記目的を達成するために本発明は、表示パネルと、光源と金属製のフレームを有する
とともに前記表示パネルの背面に配置されたバックライトと、前記表示パネルと接続され
るとともに少なくとも一部の前記フレームの外側を覆う可撓性基板と、前記フレームと部
分的に接する金属製の放熱体と、を備えた表示装置であって、
前記フレームの外側には、該フレームの表面から突出して前記放熱体と接する接触部が
設けられており、前記放熱体は、前記フレームを覆った領域の前記可撓性基板の外側に配
置されることを特徴としている。
【０００８】
この構成によると、バックライトは表示パネルの背面に配され、表示パネルはＦＰＣ等
の可撓性基板により接続される。光源から出射した光はバックライトから均一に出射され
、バックライトに面した表示パネルを照明する。また、放熱体はフレームから突出した接
触部に接触してフレームの表面から離れて配置され、フレームを覆う領域の可撓性基板の
外側に配置される。光源から発生する熱は接触部を介して放熱体に伝えられて放熱される
。放熱体は板状でもよく、多数のフィンを設けてもよい。
【０００９】
また本発明は、上記構成の表示装置において、前記フレームの表面から突出して前記放
熱体と接する接触部は、前記フレームの背面に設けられ、前記可撓性基板は、前記フレー
ムの背面側に導出されて該フレームの背面の一部を覆った領域に配置されており、前記放
熱体は、前記領域に対応して前記フレームの背面の一部を覆って配置されていることを特
徴としている。
【００１０】
この構成によると、表示パネルから延びる可撓性基板はフレームの背面の一部を覆う領
域に配置される。放熱体はフレームの背面から突出した接触部に接触してフレームの背面
から離れて配置され、可撓性基板が配される領域に対応したフレームの背面の一部が放熱
体により覆われる。
【００１１】
また本発明は、上記構成の表示装置において、前記フレームの背面側には、前記表示パ
ネルに信号を供給する回路基板が配置されており、前記可撓性基板は、前記回路基板と前
記表示パネルとを電気的に接続していることを特徴としている。この構成によると、フレ
ームの背面に配された回路基板から可撓性基板を介して表示パネルに信号が供給される。
【００１２】
また本発明は、上記構成の表示装置において、前記接触部は前記可撓性基板の幅方向に
離間して設けられていることを特徴としている。この構成によると、可撓性基板の側方に
接触部が配される。
【００１３】
また本発明は、上記構成の表示装置において、前記接触部は前記可撓性基板に設けた孔
部に挿通されることを特徴としている。
【００１４】
また本発明は、上記構成の表示装置において、前記接触部を前記可撓性基板の幅方向に
複数並設したことを特徴としている。この構成によると、放熱体が接触部に橋架され、接
触部と接触部との間に可撓性基板が配される。
【００１５】
また本発明は、上記構成の表示装置において、前記光源は前記フレームの端部に配置さ
れており、前記可撓性基板は前記光源が配置された側の前記フレームの端部に導出されて
おり、前記接触部は前記光源の近傍に設けたことを特徴としている。この構成によると、
バックライトは光源が側部に配されたサイドライト型に構成され、光源に近設される接触
部を介して光源の発熱が放熱体に伝えられる。
【００１６】
また本発明は、上記構成の表示装置において、前記フレームを鋳造加工したことを特徴
としている。
【００１７】
また本発明は、上記構成の表示装置において、前記フレームがアルミニウムから成るこ
とを特徴としている。
【００１８】
また本発明は、上記構成の表示装置において、前記接触部は、前記放熱体との接触状態
を維持する取付固定手段を備えていることを特徴としている。
【発明の効果】
【００１９】
本発明によると、放熱体に接触する接触部を金属製のフレームの表面に突設し、フレー
ムを覆う可撓性基板の外側に放熱体を配置したので、放熱面積の大きな放熱体を設けるこ
とができる。従って、バックライトの放熱性を向上することができる。
【００２０】
また本発明によると、接触部をフレームの背面に設け、フレームの背面を覆う可撓性基
板の外側に放熱体を配置したので、表示装置の面積を大きくすることなく放熱面積の大き
な放熱体を設けることができる。
【００２１】
また本発明によると、回路基板をフレームの背面側に配置したので、回路基板と表示パ
ネルとを接続する可撓性基板を避けて放熱面積の大きな放熱体を設けることができる。
【００２２】
また本発明によると、接触部は前記可撓性基板の幅方向に離間して設けられているので
、フレームを覆った領域の可撓性基板の外側に放熱体を容易に配置することができる。
【００２３】
また本発明によると、接触部は可撓性基板に設けた孔部に挿通されるので、フレームを
覆った領域の可撓性基板の外側に放熱体を容易に配置することができる。
【００２４】
また本発明によると、接触部を前記可撓性基板の幅方向に複数並設したので、接触部間
に放熱体を橋架して放熱体の取り付け強度を向上することができる。
【００２５】
また本発明によると、光源をフレームの端部に配置し、接触部を光源の近傍に設けたの
で、サイドライト型のバックライトの光源の発熱を効率よく放熱することができる。
【００２６】
また本発明によると、フレームを鋳造加工したので、バックライトに金属枠を設ける必
要がなく部品点数を削減できるとともにフレームの強度が向上してバックライトの強度を
向上できる。また、光源の熱が金属製のフレームを介して放熱されるとともに、フレーム
の体積が大きくなるため熱容量が増加して光源からの熱が溜まりにくくなる。従って、バ
ックライトの放熱性をより向上することができる。加えて、同一形状のフレームを低コス
トで大量に生産することができ、表示装置のコスト増加を抑制することができる。
【００２７】
また本発明によると、フレームがアルミニウムから成るので、フレームの熱伝導率が高
く放熱性をより向上することができる。
【発明を実施するための最良の形態】
【００２８】
以下に本発明の実施形態を図面を参照して説明する。図１は第１実施形態の表示装置を
示す側面断面図である。表示装置１は表示パネル２の背面にバックライト３が配される。
表示パネル２は周部を覆う上ケースの化粧板（不図示）によりバックライト３に取り付け
られる。バックライト３の背面には表示パネル２を駆動する回路基板１０が配される。回
路基板１０は可撓性のＦＰＣ１２（可撓性基板）により表示パネル２に接続されている。
【００２９】
バックライト３は、光源７と、発光された光源からの光を採取して導光し、面状に表示
パネル２に向けて光を照射する導光板６と、光源７及び導光板６を収容するフレーム８を
有して構成されている。従って、フレーム８の内側に光源７及び導光板６が保持される。
図２に示すように、光源７は例えばＦＰＣ９（或いはこれに代わるＰＣＢ基板）に実装さ
れた複数のＬＥＤから成り、ＦＰＣ９がフレーム８内側の側壁に貼り付けられて配置され
ている。これにより、光源７はフレーム８内側の側壁に隣接するとともに、導光板６の一
方の端部の側面に面して配置される。従って、バックライト３は光源７が導光板６の一方
の端部に配されたサイドライト型に構成される。
【００３０】
導光板６は表示パネル２に面した出射面６ａを有し、出射面６ａに対向する背面６ｂが
出射面６ａに対して傾斜したくさび形になっている。光源７から出射して導光板６に入射
した光は導光板６の内部で導光される。また、導光板６の出射面６ａ側には必要に応じて
レンズシート、拡散シート、反射偏光板等の光学シート（不図示）が配され、背面６ｂ側
には出射面６ａ側に光を反射させるために例えば反射シート（不図示）が配されている。
【００３１】
フレーム８は熱伝導率の高いアルミニウムを鋳造加工して形成される。このため、フレ
ーム８は鋳造可能な所定の厚みを有するため体積が大きく、熱容量が大きくなっている。
フレーム８の内面側には導光板６の背面６ｂに面した傾斜面８ｃが形成される。これによ
り、光源７から離れた側の厚みが更に厚くなり、フレーム８の熱容量がより大きく確保さ
れている。尚、フレーム８の材料として、熱伝導率が低くなるがステンレスや真鍮等を用
いてもよい。
【００３２】
フレーム８の光源７が配置された側の辺（端部）の背面８ｅには、光源７の近傍に寄せ
られて接触部８ａ（ボス状の突起）が突設される。接触部８ａにはネジ孔８ｂ（取付固定
手段）が設けられ、金属から成る放熱板１１（放熱体）がネジ（不図示）により接触部８
ａと接触した状態で固定される。
【００３３】
図３は表示装置１の背面図を示している。回路基板１０から信号を供給し表示パネル２
と電気的に接続された可撓性のＦＰＣ１２（可撓性基板）は、光源７が配置された側のフ
レーム８の辺（端部）側に配置されて、フレーム６の側面を通じて背面側に折り曲げられ
ている。従って、可撓性のＦＰＣ１２（可撓性基板）は、フレーム６の側面と背面の一部
の領域を覆って配置されている。
【００３４】
また、可撓性のＦＰＣ１２（可撓性基板）は、フレーム８背面に設けられた２つの接触
８ａの間であって、フレーム８と放熱板１０との間を通して配置されている。従って、接
触部８ａはＦＰＣ１２からＦＰＣ１２の幅方向に離れた両外側の２箇所に隣接して設けら
れ、両方の接触部８ａ間に放熱板１０が橋架されている。これにより、放熱板１０がＦＰ
Ｃ１２を跨いで覆い、フレーム８の背面８ｅと放熱板１０との間にＦＰＣ１２が配置され
ている。
【００３５】
上記構成の表示装置１において、光源７の出射光は導光板６に入射して導光する。導光
板６内を導光して傾斜した背面６ｂで反射した光が出射面６ａから均一に出射される。導
光板６から出射された光は表示パネル２を照明する。これにより、表示パネル２に画像が
表示される。
【００３６】
また、光源７から発熱された熱は金属製のフレーム８に蓄えられ、接触部８ａを介して
放熱板１０から放熱される。これにより、可撓性のＦＰＣ１２（可撓性基板）で覆われた
領域における放熱効率の低下を改善することができる。
【００３７】
本実施形態によると、放熱板１０を取り付ける接触部８ａを金属製のフレーム８の背面
８ｅに表面から突出させて設け、フレーム８の背面８ｅと放熱板１０との間にＦＰＣ１２
を配置したので、フレーム８の背面８ｅに回路基板１１を設けるとともに放熱面積の大き
な放熱板１０を設けることができる。また、フレーム８の背面において可撓性のＦＰＣ１
２（可撓性基板）で覆われていない領域は、フレーム８本体からの放熱がなされるので、
可撓性のＦＰＣ１２（可撓性基板）の外側に配置される放熱板１０によってフレーム８の
背面全体を覆う必要は無い。
【００３８】
フレーム８の背面全体を覆った場合は放熱が行われる可撓性のＦＰＣ１２（可撓性基板
）で覆われていない領域までもが覆われて（或いは密閉されて）遮蔽されるので放熱効率
の低下を招くものである。よって、放熱板１０は可撓性のＦＰＣ１２（可撓性基板）が配
置された領域に対応して、フレーム８の背面の一部を覆う領域に設けられている。従って
、バックライト８の放熱性を向上することができる。また、表示パネル２と回路基板１１
とを容易に接続することができる。
【００３９】
また、光源７をフレーム８の端部に配置し、接触部８ａを光源の近傍に設けたので、回
路基板１１と接触部８ａの干渉を容易に回避できるとともに、サイドライト型のバックラ
イト３の光源７の発熱を効率よく放熱することができる。
【００４０】
また、フレーム８が鋳造加工した金属から成るので、バックライト３の背面に金属枠を
設ける必要がなく部品点数を削減できるとともにフレーム８の強度が向上してバックライ
ト３の強度を向上できる。また、光源７の熱が金属製のフレーム８の本体及び接触部８ａ
を介して放熱されるとともに、フレーム８の体積が大きくなるため熱容量が増加して光源
７からの熱が溜まりにくくなる。従って、バックライト３の放熱性をより向上することが
できる。加えて、鋳造により同一形状のフレーム８を低コストで大量に生産することがで
き、表示装置１のコスト増加を抑制することができる。
【００４１】
尚、回路基板１１の面積が大きくフレーム８の端部まで伸びて配置される場合は、接触
部８ａを回路基板１１の側部に設けてもよい。これにより、フレーム８の背面８ｅと放熱
板１０との間に回路基板１１が配置される。また、断面矩形の導光板６を用いてもよく、
光源７を冷陰極管により構成してもよい。
【００４２】
次に、図４は第２実施形態の表示装置の背面図を示している。説明の便宜上、前述の図
１〜図３に示す第１実施形態と同様の部分には同一の符号を付している。第１実施形態と
異なる点は、フレーム８に突設した接触部８ａをＦＰＣ１２に設けた孔部１２ａに挿通し
ている。その他の部分は第１実施形態と同様である。
【００４３】
本実施形態によると、第１実施形態と同様の効果を得ることができる。また、回路基板
１１の面積が大きくフレーム８の端部まで伸びて配置される場合は、回路基板１１に設け
た孔部に接触部８ａを挿通してもよい。これにより、フレーム８の背面８ｅと放熱板１０
との間に回路基板１１が配置される。また、断面矩形の導光板６を用いてもよく、光源７
を冷陰極管により構成してもよい。
【００４４】
次に、図５は第３実施形態の表示装置の概略を示す側面断面図である。説明の便宜上、
前述の図１〜図３に示す第１実施形態と同様の部分には同一の符号を付している。第１実
施形態と異なる点は、冷陰極管から成る光源７が断面矩形の導光板６の背面に配された直
下型のバックライト３になっている。
【００４５】
フレーム８の内側底面は反射面に形成された放物面８ｄから成り、放物面８ｄの焦点に
配した光源７の出射光が放物面８ｄで反射して導光板６に導かれるようになっている。ま
た、接触部８ａは回路基板１１から幅方向に離れた２箇所に設けられ、接触部８ａ間に放
熱板１０が橋架されている。つまり、冷陰極管から成る光源７が配置された平面領域と、
配置された放熱板１０の平面領域は、対応して重なる領域を有している。
【００４６】
本実施形態によると、第１実施形態と同様の効果を得ることができる。尚、第２実施形
態と同様に、回路基板１１に設けた孔部に接触部８ａを挿通してもよい。
【００４７】
第１〜第３実施形態において、接触部８ａは１箇所に設けてもよいが、複数設けると放
熱板１０の取り付け強度を向上することができる。また、放熱板１０の形状は板状に限ら
れない。例えば、ブロック状でもよく、板状部材に多数のフィンを突設してもよい。更に
、断面矩形の導光板６を用いてもよい。
【産業上の利用可能性】
【００４８】
本発明によると、バックライトを備えた表示装置に利用することができる。
【図面の簡単な説明】
【００４９】
【図１】本発明の第１実施形態の表示装置を示す側面断面図
【図２】本発明の第１実施形態の表示装置を示す部分斜視図
【図３】本発明の第１実施形態の表示装置を示す背面図
【図４】本発明の第２実施形態の表示装置を示す背面図
【図５】本発明の第３実施形態の表示装置を示す側面断面図
【符号の説明】
【００５０】
１    表示装置
２    表示パネル
３    バックライト
６    導光板
７    光源
８    フレーム
８ａ  接触部
９    ＦＰＣ
１０    放熱板（放熱体）
１１    回路基板
１２    ＦＰＣ（可撓性基板）
１２ａ  孔部（開口部）
【図１】
2007264571.tif 000003
【図２】
2007264571.tif 000004
【図３】
2007264571.tif 000005
【図４】
2007264571.tif 000006
【図５】
2007264571.tif 000007